(57)【要約】【課題】良好な排水性を有し、簡単に施工できる水勾配付き下地構造を提供する。【解決手段】本発明の構造は、表面に一方向に向かって傾斜勾配が設けられた第１勾配付きパネル１０と、表面に前記一方向に対し交差する他方向に向かって傾斜勾配が設けられた第２勾配付きパネル２０と、を備える。躯体上面に第１及び第２勾配付きパネル１０、２０が重ね合わされる態様に敷設されることにより、その積層パネルの表面に排水位置に向かう水勾配が形成されるようにしている。【選択図】      図１
2006144507.tif 000002
【特許請求の範囲】
【請求項１】
表面に一方向に向かって傾斜勾配が設けられた第１勾配付きパネルと、
表面に前記一方向に対し交差する他方向に向かって傾斜勾配が設けられた第２勾配付きパネルと、を備え、
躯体上面に前記第１及び第２勾配付きパネルが重ね合わされる態様に敷設されることにより、その積層パネルの上面に排水位置に向かう水勾配が形成されるようにしたことを特徴とする水勾配付き下地構造。
【請求項２】
前記第１及び第２勾配付きパネルが矩形状の平面形状を有し、
前記第１及び第２勾配付きパネルの各傾斜勾配が一辺からこれに対向する他辺に向かうように形成され、
前記第１及び第２勾配付きパネルの勾配方向が互いに直交するように配置されてなる請求項１に記載の水勾配付き下地構造。
【請求項３】
前記第１及び第２勾配付きパネルのうち少なくとも一方側の勾配付きパネルが、勾配方向を揃えて勾配方向に沿って並んで複数配置されるとともに、その複数の一方側勾配付きパネルの表面によって、連続する傾斜面が形成されるように、前記一方側勾配付きパネルの裏面側に、表面が平坦な矩形状の平坦パネルが積層されてなる請求項２に記載の水勾配付き下地構造。
【請求項４】
前記躯体上面に、前記第１勾配付きパネルが勾配方向を縦方向に揃えて縦横に並んで複数配置されることにより、第１パネル群が形成されるとともに、
前記第１パネル群上に、前記第２勾配付きパネルが勾配方向を横方向に揃えて縦横に並んで複数配置されることにより、第２パネル群が形成され、
前記第１パネル群における複数の第１勾配付きパネルの表面によって、連続する第１傾斜面が形成されるように、前記第１勾配付きパネルの裏面側に、表面が平坦な矩形状の平坦パネルが積層されてなる請求項２に記載の水勾配付き下地構造。
【請求項５】
前記第２パネル群における複数の第２勾配付きパネルの表面によって、連続する第２傾斜面が形成されるように、第２勾配付きパネルの裏面側に、表面が平坦な矩形状の平坦パネルが積層されてなる請求項４に記載の水勾配付き下地構造。
【請求項６】
前記第２パネル群において、横方向に隣り合う前記第２勾配付きパネルが互いに勾配方向下側の端部を突き合わせるように配置されて、その横方向に隣り合う前記第２勾配付きパネル間に、縦方向に連続して延びる谷部が形成されるようにした請求項４に記載の水勾配付き下地構造。
【請求項７】
前記第２パネル群において、横方向に隣り合う前記第２勾配付きパネルが互いに勾配方向上側の端部を突き合わせるように配置されて、その横方向に隣り合う前記第２勾配付きパネル間に、縦方向に連続して延びる山部が形成されるようにした請求項４に記載の水勾配付き下地構造。
【請求項８】
前記第１勾配付きパネル、前記第２勾配付きパネル及び前記平坦パネルが、断熱材をもって構成されてなる請求項２〜７のいずれか１項に記載の水勾配付き下地構造。
【請求項９】
表面に一方向に向かって傾斜勾配が設けられた勾配付きパネルが、傾斜勾配を有する躯体上面に敷設されるようにした水勾配付き下地構造であって、
前記勾配付きパネルが、その勾配方向を前記躯体上面の勾配方向に対し交差させた状態に配置されることにより、前記勾配付きパネルの上面に排水位置に向かう水勾配が形成されるようにしたことを特徴とする水勾配付き下地構造。
【請求項１０】
前記勾配付きパネルが矩形状の平面形状を有し、傾斜勾配が一辺からこれに対向する他辺に向かうように形成され、
前記勾配付きパネルの勾配方向が前記躯体上面の勾配方向に対し直交するように配置されてなる請求項９に記載の水勾配付き下地構造。
【請求項１１】
前記躯体上面の勾配方向を縦方向としたとき、
前記勾配付きパネルが勾配方向を横方向に揃えて縦横に並んで複数配置されることにより、パネル群が形成され、
前記パネル群における複数の勾配付きパネルの表面によって、連続する傾斜面が形成されるように、前記勾配付きパネルの裏面側に、表面が平坦な矩形状の平坦パネルが積層されてなる請求項１０に記載の水勾配付き下地構造。
【請求項１２】
前記パネル群において、横方向に隣り合う前記勾配付きパネルが互いに勾配方向下側の端部を突き合わせるように配置されて、その横方向に隣り合う前記勾配付きパネル間に、縦方向に連続して延びる谷部が形成されるようにした請求項１１に記載の水勾配付き下地構造。
【請求項１３】
前記パネル群において、横方向に隣り合う前記勾配付きパネルが互いに勾配方向上側の端部を突き合わせるように配置されて、その横方向に隣り合う前記勾配付きパネル間に、縦方向に連続して延びる山部が形成されるようにした請求項１１に記載の水勾配付き下地構造。
【請求項１４】
前記勾配付きパネル及び前記平坦パネルが、断熱材をもって構成されてなる請求項１０〜１３のいずれか１項に記載の水勾配付き下地構造。
【発明の詳細な説明】
【技術分野】
【０００１】
この発明は、陸屋根、傾斜屋根、バルコニー、ベランダ等の躯体の上面に、雨水誘導排水用等の水勾配を形成する際に適用される水勾配付き下地構造に関する。
【背景技術】
【０００２】
屋上、バルコニー、ベランダ等の躯体の上面に断熱板を敷設して防水施工する断熱防水構造が周知である。従来、この断熱防水構造において、断熱板として表面に傾斜勾配の付いた勾配付きパネルを用いることにより、断熱板の敷設と同時に、表面に雨水誘導排水用に水勾配を形成するものが周知である。
【０００３】
この水勾配付き断熱防水構造においては、表面が傾斜する断熱材からなる勾配付きパネルと、表面が平坦な断熱材からなる平坦パネルとを組み合わせて躯体上面に敷設して、一方向に水勾配を有する下地面を形成するのが一般的である。
【０００４】
例えば図１９に示すように、陸屋根等のほぼ平坦な躯体上壁上に、勾配付きパネル（２）をその勾配方向を縦方向（Ｘ）に揃えて縦横に並べて複数敷設するに際して、各勾配付きパネル（２）の裏面側に所要枚数の平坦パネル（３）を積層状に配置することにより、複数の勾配付きパネル（２）の表面によって縦方向（Ｘ）に向けて水勾配が形成された下地面を形成するようにしている。
【０００５】
ところが、このような水勾配付き断熱防水構造では、下地面における一方向（Ｘ）側の端縁における水下部（４）に雨水等の水が案内されるようにしているため、この直線状の水下部（４）に水が残留し易く、良好な排水性を得ることが困難である。
【０００６】
そこで、排水性の向上を図るため、例えば下記特許文献１〜３に示す断熱防水構造が提案されている。
【０００７】
特許文献１の構造は、施工面における排水口（ドレン）周辺を除く主要領域は、上記と同様に矩形状の勾配付きパネル及び平坦パネルを用いて、水勾配を形成する一方、ドレン周辺においては、三角形状や台形状等の多種類の特殊形状パネルを複雑に配置して、ドレンに向かう水みちを形成するものである。
【０００８】
特許文献２の構造は、上記矩形状の勾配付きパネル及び平坦パネル以外に、表面に対角線方向に傾斜勾配が形成された特殊形状パネルを用いて、ドレンに向かう水みちを形成するものである。
【０００９】
特許文献３の構造は、上記勾配付きパネル及び平坦パネル以外に、表裏両面に傾斜勾配が形成された特殊形状パネルを用いて、ドレンに向かう水みちを形成するものである。
【特許文献１】特開平８−９３１１１号公報（図１−３）
【特許文献２】特開平１０−１４０７５８号公報（図１−６）
【特許文献３】特開平５−３１１８１９号公報（図１−５）
【発明の開示】
【発明が解決しようとする課題】
【００１０】
しかしながら、上記特許文献１に示す断熱防水構造においては、三角形状や台形状の特殊形状パネル（断熱材）を、施工現場に応じて複雑に組み合わせるようにして割り付け施工するものであるため、特殊形状パネルの採寸や切断を現場で行う必要があり、作業者に高い技能が要求されるばかりか、多大な労力も必要となり、作業効率が低下して施工作業が困難になるという問題を抱えている。特に特殊形状パネルを現場で採寸切断する際には、多量の残材が発生するため、材料を有効に利用できず、材料コストの増大、ひいては施工コストの増大を招く恐れもある。更に多種類の特殊形状パネルを複雑に組み合わせるように施工するものであるため、この割り付け施工作業が煩雑で作業効率が一段と低下するとともに、コストが更に増大するという問題があった。
【００１１】
また特許文献２、３に示す断熱防水構造においては、特殊な形状の断熱材（特殊形状パネル）を用いるものであるため、この特殊形状の断熱材等の構成部材を作製するのが困難である。例えば特殊形状の断熱材を作製するには、押出発泡成形体を切削加工したり、ビーズ発泡による成形体を用いる等の方法を採用する必要があるが、これらの作製方法は、いずれも多くの手間と労力を必要とするため、特殊形状パネル等の構成部材の作製が困難であり、コストが増大するという問題があった。しかも特殊形状の成形体に合わせて、新規の金型も必要となるため、設備投資の負担も大きくなりコストを一段と増大させるという問題が発生する。
【００１２】
この発明は、上記従来技術の問題を解消し、良好な排水性を確保した上で更に、勾配付きパネル等の構成部材の製作を容易に行えるとともに、簡単に施工できてコストも削減することができる水勾配付き下地構造を提供することを目的とする。
【課題を解決するための手段】
【００１３】
上記目的を達成するため、本発明は以下の構成を要旨としている。
【００１４】
［１］  表面に一方向に向かって傾斜勾配が設けられた第１勾配付きパネルと、
表面に前記一方向に対し交差する他方向に向かって傾斜勾配が設けられた第２勾配付きパネルと、を備え、
躯体上面に前記第１及び第２勾配付きパネルが重ね合わされる態様に敷設されることにより、その積層パネルの上面に排水位置に向かう水勾配が形成されるようにしたことを特徴とする水勾配付き下地構造。
【００１５】
［１ａ］  前記第１及び第２勾配付きパネルが直接、重ね合わされる前項１に記載の水勾配付き下地構造。
【００１６】
［１ｂ］  前記第１及び第２勾配付きパネルが、断熱パネル等のスペーサ部材（平坦パネル）を介して間接的に重ね合わされる前項１に記載の水勾配付き下地構造。
【００１７】
［１ｃ］  前記第１勾配付きパネルが複数枚重ね合わされる前項１に記載の水勾配付き下地構造。
【００１８】
［１ｄ］  前記第２勾配付きパネルが複数枚重ね合わされる前項１に記載の水勾配付き下地構造。
【００１９】
［２］  前記第１及び第２勾配付きパネルが矩形状の平面形状を有し、
前記第１及び第２勾配付きパネルの各傾斜勾配が一辺からこれに対向する他辺に向かうように形成され、
前記第１及び第２勾配付きパネルの勾配方向が互いに直交するように配置されてなる前項１に記載の水勾配付き下地構造。
【００２０】
［２ａ］  積層パネルの表面に対角線方向に沿って傾斜勾配が形成されてなる前項２に記載の水勾配付き下地構造。
【００２１】
［２ｂ］  表面が平坦な矩形状の平坦パネルを、更に備え、
前記第１及び第２勾配付きパネルの裏面側に、必要に応じて前記平坦パネルを積層するようにした前項２に記載の水勾配付き下地構造。
【００２２】
［３］  前記第１及び第２勾配付きパネルのうち少なくとも一方側の勾配付きパネルが、勾配方向を揃えて勾配方向に沿って並んで複数配置されるとともに、その複数の一方側勾配付きパネルの表面によって、連続する傾斜面が形成されるように、前記一方側勾配付きパネルの裏面側に、表面が平坦な矩形状の平坦パネルが積層されてなる前項２に記載の水勾配付き下地構造。
【００２３】
［３ａ］  前記平坦パネルの前記一方側勾配付きパネルに対する積層枚数が、勾配方向に並ぶ一方側勾配付きパネル毎に増減されることにより、前記複数の第１勾配付きパネルの表面によって、連続する傾斜面が形成されてなる前項３に記載の水勾配付き下地構造。
【００２４】
［３ｂ］  前記平坦パネルの積層枚数が、勾配方向の上側に向かうに従って増加される前項３に記載の水勾配付き下地構造。
【００２５】
［３ｃ］  前記平坦パネルの積層枚数が、勾配方向の上側に向かうに従って１枚ずつ増加される前項３に記載の水勾配付き下地構造。
【００２６】
［３ｄ］  前記複数の一方側勾配付きパネルのうち、勾配方向の最も下側に配置されるパネルの裏面側に、前記平坦パネルが設けられない前項３に記載の水勾配付き下地構造。
【００２７】
［４］  前記躯体上面に、前記第１勾配付きパネルが勾配方向を縦方向に揃えて縦横に並んで複数配置されることにより、第１パネル群が形成されるとともに、
前記第１パネル群上に、前記第２勾配付きパネルが勾配方向を横方向に揃えて縦横に並んで複数配置されることにより、第２パネル群が形成され、
前記第１パネル群における複数の第１勾配付きパネルの表面によって、連続する第１傾斜面が形成されるように、前記第１勾配付きパネルの裏面側に、表面が平坦な矩形状の平坦パネルが積層されてなる前項２に記載の水勾配付き下地構造。
【００２８】
［４ａ］  前記平坦パネルの前記第１勾配付きパネルに対する積層枚数が、縦方向に並ぶ第１勾配付きパネル毎に増減されることにより、前記複数の第１勾配付きパネルの表面によって、連続する第１傾斜面が形成されてなる前項４に記載の水勾配付き下地構造。
【００２９】
［４ｂ］  前記第２勾配付きパネルの表面によって、下地面が形成されてなる前項４に記載の水勾配付き下地構造。
【００３０】
［４ｃ］  前記第２勾配付きパネルの表面によって、矩形状の下地面が形成されてなる前項４に記載の水勾配付き下地構造。
【００３１】
［５］  前記第２パネル群における複数の第２勾配付きパネルの表面によって、連続する第２傾斜面が形成されるように、第２勾配付きパネルの裏面側に、表面が平坦な矩形状の平坦パネルが積層されてなる前項４に記載の水勾配付き下地構造。
【００３２】
［５ａ］  前記平坦パネルの前記第２勾配付きパネルに対する積層枚数が、横方向に並ぶ第１勾配付きパネル毎に増減されることにより、前記複数の第２勾配付きパネルの表面によって、連続する第２傾斜面が形成されてなる前項５に記載の水勾配付き下地構造。
【００３３】
［５ｂ］  前記第２傾斜面が、対角線方向に沿って水勾配を有する矩形状の下地面として形成されてなる前項５に記載の水勾配付き下地構造。
【００３４】
［５ｃ］  前記第２勾配付きパネルの表面によって、矩形状の下地面が形成されるとともに、その一隅部に排水用ドレンが設けられてなる前項５に記載の水勾配付き下地構造。
【００３５】
［６］  前記第２パネル群において、横方向に隣り合う前記第２勾配付きパネルが互いに勾配方向下側の端部を突き合わせるように配置されて、その横方向に隣り合う前記第２勾配付きパネル間に、縦方向に連続して延びる谷部が形成されるようにした前項４に記載の水勾配付き下地構造。
【００３６】
［６ａ］  前記谷部の端部に排水用ドレンが設けられてなる前項６に記載の水勾配付き下地構造。
【００３７】
［７］  前記第２パネル群において、横方向に隣り合う前記第２勾配付きパネルが互いに勾配方向上側の端部を突き合わせるように配置されて、その横方向に隣り合う前記第２勾配付きパネル間に、縦方向に連続して延びる山部が形成されるようにした前項４に記載の水勾配付き下地構造。
【００３８】
［７ａ］  前記複数の第２勾配付きパネルのうち横方向に隣り合うパネルが互いに勾配方向下側の端部を突き合わせるように配置されて、その横方向に隣り合う前記第２勾配付きパネル間に、縦方向に連続して延びる谷部が形成されるようにした前項７に記載の水勾配付き下地構造。
【００３９】
［８］  前記第１勾配付きパネル、前記第２勾配付きパネル及び前記平坦パネルが、断熱材をもって構成されてなる前項２〜７のいずれか１項に記載の水勾配付き下地構造。
【００４０】
［８ａ］  前記パネルが合成樹脂の発泡成形体をもって構成されてなる前項８に記載の水勾配付き下地構造。
【００４１】
［８ｂ］  前記躯体上面がほぼ水平に形成されてなる前項１〜８のいずれか１項に記載の水勾配付き下地構造。
【００４２】
［８ｃ］  前記躯体が陸屋根、ベランダ、バルコニーのいずれかによって構成されてなる前項８ｂに記載の水勾配付き下地構造。
【００４３】
［８ｄ］  前記躯体上面に傾斜勾配が形成されてなる前項１〜８のいずれか１項に記載の水勾配付き下地構造。
【００４４】
［８ｅ］  前記躯体が屋根によって構成されてなる前項８ｄに記載の水勾配付き下地構造。
【００４５】
［８ｆ］  前項８に記載の構造によって構成されることを特徴とする建造物躯体の断熱構造。
【００４６】
［８ｇ］  前項８に記載の構造によって構成され、パネル表面に防水施工が施されることを特徴とする建造物躯体の断熱防水構造。
【００４７】
［８ｈ］  前項８に記載の構造によって構成され、パネル表面に防水シートが敷設されてなることを特徴とする建造物躯体の断熱防水構造。
【００４８】
［８ｉ］  前項８に記載の構造によって構成され、パネル表面に絶縁工法によって防水シートが敷設されてなることを特徴とする建造物躯体の断熱防水構造。
【００４９】
［９］  表面に一方向に向かって傾斜勾配が設けられた勾配付きパネルが、傾斜勾配を有する躯体上面に敷設されるようにした水勾配付き下地構造であって、
前記勾配付きパネルが、その勾配方向を前記躯体上面の勾配方向に対し交差させた状態に配置されることにより、前記勾配付きパネルの上面に排水位置に向かう水勾配が形成されるようにしたことを特徴とする水勾配付き下地構造。
【００５０】
［１０］  前記勾配付きパネルが矩形状の平面形状を有し、傾斜勾配が一辺からこれに対向する他辺に向かうように形成され、
前記勾配付きパネルの勾配方向が前記躯体上面の勾配方向に対し直交するように配置されてなる前項９に記載の水勾配付き下地構造。
【００５１】
［１１］  前記躯体上面の勾配方向を縦方向としたとき、
前記勾配付きパネルが勾配方向を横方向に揃えて縦横に並んで複数配置されることにより、パネル群が形成され、
前記パネル群における複数の勾配付きパネルの表面によって、連続する傾斜面が形成されるように、前記勾配付きパネルの裏面側に、表面が平坦な矩形状の平坦パネルが積層されてなる前項１０に記載の水勾配付き下地構造。
【００５２】
［１２］  前記パネル群において、横方向に隣り合う前記勾配付きパネルが互いに勾配方向下側の端部を突き合わせるように配置されて、その横方向に隣り合う前記勾配付きパネル間に、縦方向に連続して延びる谷部が形成されるようにした前項１１に記載の水勾配付き下地構造。
【００５３】
［１３］  前記パネル群において、横方向に隣り合う前記勾配付きパネルが互いに勾配方向上側の端部を突き合わせるように配置されて、その横方向に隣り合う前記勾配付きパネル間に、縦方向に連続して延びる山部が形成されるようにした前項１１に記載の水勾配付き下地構造。
【００５４】
［１４］  前記勾配付きパネル及び前記平坦パネルが、断熱材をもって構成されてなる前項１０〜１３のいずれか１項に記載の水勾配付き下地構造。
【発明の効果】
【００５５】
発明［１］にかかる水勾配付き下地構造によれば、第１及び第２勾配付きパネルは、その表面に一つの方向に傾斜勾配を付けるだけの簡単な構造であるため、パネル製作を容易に行えてコストを削減することができる。更に各パネルを積層状態に敷設するだけで簡単に施工できるとともに、第１及び第２勾配付きパネルの組み合せによって、所望の位置に向かう水勾配を形成することができ、良好な排水性を得ることができる。
【００５６】
発明［２］にかかる水勾配付き下地構造によれば、勾配付きパネルとして、平面視矩形状のシンプルな形状のものを用いるものであるため、パネル製作や施工をより簡単に行うことができる。
【００５７】
発明［３］にかかる水勾配付き下地構造によれば、連続する長い水勾配を確実に形成することができる。
【００５８】
発明［４］にかかる水勾配付き下地構造によれば、躯体上面の所望位置に向かう水勾配を確実に形成することができる。
【００５９】
発明［５］にかかる水勾配付き下地構造によれば、躯体上面の隅部に向かう水勾配を確実に形成することができる。
【００６０】
発明［６］にかかる水勾配付き下地構造によれば、躯体上面の所望位置に水みちとしての谷部を形成でき、所望の排水位置に向かう水勾配をより確実に形成することができる。
【００６１】
発明［７］にかかる水勾配付き下地構造によれば、躯体上面の所望位置に分水位置としての山部を形成でき、所望の排水位置に向かう水勾配をより確実に形成することができる。
【００６２】
発明［８］にかかる水勾配付き下地構造によれば、断熱構造を確実に形成することができる。
【００６３】
発明［８ｂ］にかかる水勾配付き下地構造によれば、ビル屋上の陸屋根、ベランダ、バルコニー等に確実に適用することができる。
【００６４】
発明［８ｄ］にかかる水勾配付き下地構造によれば、傾斜屋根等に確実に適用することができる。
【００６５】
発明［９］にかかる水勾配付き下地構造によれば、勾配付きパネルは、その表面に一つの方向に傾斜勾配を付けるだけの簡単な構造であるため、パネル製作を容易に行えてコストを削減することができる。更にパネルを敷設するだけで簡単に施工できるとともに、躯体上面及び勾配付きパネルの組み合せによって、所望の位置に向かう水勾配を形成することができ、良好な排水性を得ることができる。
【００６６】
発明［１０］にかかる水勾配付き下地構造によれば、勾配付きパネルとして、平面視矩形状のシンプルな形状のものを用いるものであるため、パネル製作や施工をより簡単に行うことができる。
【００６７】
発明［１１］にかかる水勾配付き下地構造によれば、躯体上面の隅部に向かう水勾配を確実に形成することができる。
【００６８】
発明［１２］にかかる水勾配付き下地構造によれば、躯体上面の所望位置に水みちとしての谷部を形成でき、所望の排水位置に向かう水勾配をより確実に形成することができる。
【００６９】
発明［１３］にかかる水勾配付き下地構造によれば、躯体上面の所望位置に分水位置としての山部を形成でき、所望の排水位置に向かう水勾配をより確実に形成することができる。
【００７０】
発明［１４］にかかる水勾配付き下地構造によれば、断熱構造を確実に形成することができる。
【発明を実施するための最良の形態】
【００７１】
図１ないし図３はこの発明の第１実施形態である断熱防水構造に使用された構成部材としてのパネル（１０）（２０）（３０）を示す斜視図である。これらの図に示すように、本実施形態の断熱防水構造は、第１及び第２勾配付きパネル（１０）（２０）及び平坦パネル（３０）を用いて、例えば建造物の陸屋根等の躯体上壁上に施工されるものである。
【００７２】
各パネル（１０）（２０）（３０）は、合成樹脂の発泡成形体からなる断熱材をもって構成されており、平面視において同じ大きさの矩形状に形成されて、互いに適合状態に重ね合わせられるよう構成されている。
【００７３】
第１勾配付きパネル（１０）は、裏面側を水平面に設置した状態において、表面が傾斜面となるように傾斜勾配が設けられている。この傾斜勾配は、一方向に向かって形成されており、具体的にはパネル（１０）における周囲四辺のうち一辺からその辺に対向する他辺に向かって形成されている。
【００７４】
この第１勾配付きパネル（１０）における高位置側の辺（一辺）の厚み（高さ）は１０ｍｍに設定されるとともに、低位置側の辺（他辺）の厚み（高さ）は５ｍｍに設定されている。
【００７５】
また各パネル（１０）（２０）（３０）は、平面視において、縦９１０ｍｍ、横９１０ｍｍの大きさに形成されている。
【００７６】
なお各図面においてパネル上の矢印は勾配方向を示すものであり、矢先側が勾配方向の下側を示している。また各図面においては、発明の理解を容易にするため、傾斜勾配を誇張して示しており、厚み寸法に比べて縦横（平面）寸法を小さく示している。
【００７７】
第２勾配付きパネル（２０）は、裏面側を水平面に設置した状態において、表面が傾斜面となるように傾斜勾配が設けられている。この傾斜勾配は、パネル２０における周囲四辺のうち一辺からその辺に対向する他辺に向かって形成されており、上記第１勾配付きパネル（１０）上に積層した際には、その第１勾配付きパネル（１０）の勾配方向に対し直交する方向（他方向）に向かうように形成されている。
【００７８】
このパネル（２０）における高位置側の辺（一辺）の厚み（高さ）は１０ｍｍに設定されるとともに、低位置側の辺（他辺）の厚み（高さ）は５ｍｍに設定されている。
【００７９】
図３に示すように平坦パネル（３０）は、裏面側を水平面に設置した状態において、表面が水平な平坦面に形成されるよう構成されている。このパネル（３０）は、厚み（高さ）が５ｍｍに設定され、言うまでもなくパネル全域が均一な厚みに形成されている。
【００８０】
本実施形態においては、上記のパネル（１０）（２０）（３０）を多数用いて施工するものであるが、その施工例を説明する前に、まずパネル（１０）（２０）（３０）の基本的な組合せパターンについて説明する。
【００８１】
例えば図２に示すように、水平な設置面上に第１勾配付きパネル（１０）を敷設するとともに、そのパネル（１０）上に第２勾配付きパネル（２０）を敷設した際には、両パネル（１０）（２０）の勾配方向が組み合わされることによって、パネル（１０）（２０）の積層体（積層パネル）表面に、一隅部に集約するように向かう傾斜勾配（水勾配）が形成される。このようにパネル（１０）（２０）を適宜積層状に組み合わせることにより、一隅部に向かって傾斜する勾配面を形成することができる。
【００８２】
また図４ないし図６に示すように、水平な設置面上に、第１勾配付きパネル（１０）を勾配方向下側を揃えて勾配方向に沿って並べて複数配置するに際し、勾配方向の最も下側に位置する１番目の第１勾配付きパネル（１０）はそのまま設置し、２番目の第１勾配付きパネル（１０）はその裏面側に１枚の平坦パネル（３０）を積層する態様に設置し、３番目の第１勾配付きパネル（１０）はその裏面側に２枚の平坦パネル（３０）を積層する態様に設置し、以下同様に、平坦パネル（３０）の積層枚数を次第に増加させていく。これにより、勾配方向に並ぶ複数の第１勾配付きパネル（１０）によって、連続する傾斜面が形成されるとともに、この傾斜面には、パネル配列方向に向かう一定の傾斜勾配が形成される。このようにパネル（１０）（３０）を適宜組み合わせることにより、所望の長さの傾斜面（勾配面）を形成することができる。
【００８３】
更にこうして第１勾配付きパネル（１０）を並べて作製した傾斜面上における各パネル（１０）上に、第２勾配付きパネル（２０）をそれぞれ配置した際には、図６に示すように一隅部に向かって傾斜する細長い勾配面を形成することができる。
【００８４】
なお図６においてアルファベットの「ｈ」が添えられた数字は、その地点における躯体上壁の上面からの高さ（ｍｍ）を示している（以下の図面においても同じ）。
【００８５】
このように本実施形態においては、上記の各パネル（１０）（２０）（３０）を適宜組み合わせて施工することによって、積層パネル表面に、所定の排水位置に水が確実に導かれるような水勾配を形成することができる。
【００８６】
また第１及び第２勾配付きパネル（１０）（２０）は、その表面に一つの方向に傾斜勾配を付けるだけの簡単な構成であるとともに、平坦パネル（３０）は、平板形状の簡単な構成である。このように構成部材としてのパネル（１０）（２０）（３０）が、簡単な構成であるため、パネル製作を容易に行えてコストを削減することができる。
【００８７】
以下、上記パネル（１０）（２０）（３０）を用いて実際に、陸屋根躯体上に所定の水勾配を有する屋根下地（断熱防水構造）を形成する場合の実施例について説明する。
【００８８】
＜第１実施例＞
図７ないし図１１はこの発明の第１実施例である断熱防水構造を示す図である。これらの図に示すように、この第１実施例は、水平な躯体上壁の上面に上記各パネル（１０）（２０）（３０）を敷設して、躯体上壁上に、その一隅部の排水用ドレン（５）に向かう水勾配を形成するものである。
【００８９】
なお以下の説明においては、図面に示すように水平面内の縦方向を「Ｘ」、横方向を「Ｙ」とし、更に縦方向の一方側（前方向）を「Ｘ１」、縦方向の他方側（後方向）を「Ｘ２」、横方向の一方側（右方向）を「Ｙ１」、横方向の他方側（左方向）を「Ｙ２」として説明する。
【００９０】
まず図８及び図９に示すように躯体上壁上に、複数の第１勾配付きパネル（１０）と複数の平坦パネル（３０）とを用いて前方向（Ｘ１）に向けて傾斜する第１傾斜面（４１）を有する第１パネル群（５１）を形成する。すなわち躯体上壁上に、第１勾配付きパネル（１０）をその勾配方向の下側を前方向（Ｘ１）に揃えて縦横４列ずつの配置で敷設する。このとき、縦方向（Ｘ）の最も手前に配置される縦１列目の第１勾配付きパネル（１０）は、躯体上壁にそのまま設置し、縦２列目の第１勾配付きパネル（１０）の裏面側には１枚ずつ平坦パネル（３０）をそれぞれ積層し、縦３列目の第１勾配付きパネル（１０）の裏面側に２枚ずつ平坦パネル（３０）を積層し、縦４列目の第１勾配付きパネル（１０）の裏面側には３枚ずつ平坦パネル（３０）を積層する。こうして積層された第１パネル群（５１）においては、縦横に配列された多数の第１勾配付きパネル（１０）の上面によって、前方向（Ｘ１）に向かって傾斜する第１傾斜面（４１）が形成される。
【００９１】
次に図８及び図１０に示すように第１パネル群（５１）上に第２パネル群（５２）を重ね合わせるように施工する。
【００９２】
第２パネル群（５２）は、複数の第２勾配付きパネル（２０）と複数の平坦パネル（３０）とにより構成されている。すなわち第２勾配付きパネル（２０）をその勾配方向の下側を右方向（Ｙ１）に揃えて縦横４列ずつの配置で敷設する。更に横方向（Ｙ）の最も右側に配置される横１列目の第２勾配付きパネル（２０）は、傾斜面（４１）上にそのまま設置し、横２列目のパネル（２０）の裏面側には１枚ずつ、３列目のパネル（２０）の裏面側には２枚ずつ、４列目のパネル（２０）の裏面側には３枚ずつ、それぞれ平坦パネル（３０）を積層する。こうして形成された第２パネル群（５２）は、その上面に右方向（Ｙ１）に向かって傾斜する第２傾斜面（４２）が形成される。
【００９３】
図７及び図１１に示すように、この第２パネル群（５２）が、第１パネル群（５１）の第１傾斜面（４１）上に積層されることによって、第２パネル群（５２）の第２傾斜面（４２）が、躯体上壁の一隅部に向かう水勾配、つまりドレン（５）の設置位置に向かう水勾配が設けられた勾配付き下地面（４０）として形成される。
【００９４】
なお、以下の実施例も含めて、本実施例においては、パネル（１０）（２０）（３０）の組付手順は特に限定されるものではない。
【００９５】
一方、上記のように組付施工された勾配付き下地面（４０）上には、防水シート等による防水施工が施されて、勾配付き防水面が形成され、これにより断熱防水屋根が形成されるものである。
【００９６】
こうして形成された断熱防水構造においては、防水面上にドレン（５）に向かう水勾配が形成されるため、防水面上に降り注がれた雨水等は、確実にドレン（５）に導かれて、効率良く排水される。
【００９７】
＜第２実施例＞
図１２ないし図１４はこの発明の第２実施例である断熱防水構造を示す図である。これらの図に示すようにこの第２実施例においては、躯体上壁上の前端縁に横方向（Ｙ）に沿って間隔おいて３つのドレン（５）が設けられており、躯体上壁上に各ドレン（５）に向かう水勾配を形成するものである。
【００９８】
まず図１３に示すように上記第１実施例と同様に第１パネル群（５１）を施工する。すなわち躯体上壁上に、第１勾配付きパネル（１０）をその裏面側に必要に応じて平坦パネル（３０）を積層させるように敷設することにより、多数の第１勾配付きパネル（１０）の上面によって、前方向（Ｘ１）に向かって傾斜する傾斜面（４１）を形成する。このときドレン（５）は、横１列目のパネル（１０）の右前側の隅部、横２列目及び３列目のパネル（１０）（１０）間の前端、横４列目のパネル（１０）の左前側の隅部にそれぞれ配置される。
【００９９】
次に図１２及び図１３に示すように、第１パネル群（５１）上に、第２パネル群（５２）を重ね合わせるように施工する。
【０１００】
この第２パネル群（５２）は、複数の第２勾配付きパネル（２０）によって構成されている。すなわち複数の第２勾配付きパネル（２０）を、その勾配方向を横方向（Ｙ）に揃えて縦横４列ずつ配置する。このとき、横１列目の各第２勾配付きパネル（２０）は、その勾配方向下側を右方向（Ｙ１）に向けて配置し、横２列目の各第２勾配付きパネル（２０）は、勾配方向下側を上記横１列目の第２勾配付きパネル（２０）に対し逆方向、つまり左方向（Ｙ２）に向けて配置する。更に横３列目の各第２勾配付きパネル（２０）は、横１列目の第２勾配付きパネル（２０）と同方向に、横４列目の各第２勾配付きパネル（２０）は、横２列目の第２勾配付きパネル（２０）と同方向にそれぞれ設置する。こうして構成された第２パネル群（５２）の上面（第２傾斜面４２）においては、横１列目及び２列目のパネル（２０）（２０）の互いの勾配方向上側の端縁同士が突き合わされることにより、そのパネル（２０）（２０）間に縦方向（Ｘ）に連続して延びる山部（４５）が形成される。同様に、横３列目及び４列目のパネル（２０）（２０）の互いの勾配方向上側の端縁同士が突き合わされることにより、そのパネル（２０）（２０）間に縦方向（Ｘ）に連続して延びる山部（４５）が形成される。また横２列目及び３列目のパネル（２０）（２０）間に縦方向（Ｘ）に連続して延びる谷部（４６）が形成される。なお横１列目のパネル（２０）の右側端縁には、施工後の状態において躯体上壁端部の立ち上がり壁（図示省略）等との間に、縦方向（Ｘ）に連続して延びる谷部（４６）が形成され、横４列目のパネル（２０）の左側端縁に、施工後の状態において躯体上壁端部の立ち上がり壁（図示省略）等との間に、縦方向（Ｘ）に連続して延びる谷部（４６）が形成されることになる。
【０１０１】
図１２及び図１４に示すように、この第２パネル群（５２）が第１パネル群（５１）の第１傾斜面（４１）上に積層されることによって、第２パネル群（５２）の第２傾斜面（４２）が、勾配付き下地面（４０）として構成される。この勾配付き下地面（４０）は、全体的に前方向（Ｘ１）に向けて傾斜されて、各谷部（４６）はその前方向（Ｘ１）が下流側として構成され、その谷部（４６）の下流側端部にそれぞれドレン（５）が配置される。従ってこの勾配付き下地面（４０）においては、山部（４５）から谷部（４６）に向かい、更に谷部（４６）に沿って各ドレン（５）に向かう水勾配が形成されて、良好な排水性を得ることができる。
【０１０２】
＜第３実施例＞
図１５ないし図１８はこの発明の第３実施例である断熱防水構造を示す図である。これらの図に示すようにこの第３実施例においては、躯体上壁上における四隅にそれぞれドレン（５）が設けられており、以下に詳述するように、パネル（１０）（２０）（３０）の設置によって、躯体上壁上を４つに仕切るように十字状に山部（４５）が形成されて、各区画領域に、その領域内のドレン（５）に向かう水勾配が形成されるものである。
【０１０３】
この第３実施例の構造を、４つの領域、つまり右前１／４領域、右後１／４領域、左前１／４領域、左後１／４領域に分けて説明すると、まず右前１／４領域は、手前から１列目の右から１番目のパネル部分、１列目２番目のパネル部分、２列目３番目のパネル部分、２列目２番目のパネル部分によって構成されている。
【０１０４】
この右前側の１／４領域は、４枚の第１勾配付きパネル（１０）及び２枚の平坦パネル（３０）により構成される第１パネル群（５１）と、４枚の第２勾配付きパネル（２０）及び２枚の平坦パネル（３０）により構成される第２パネル群（５１）とを有している。
【０１０５】
第１パネル群（５１）は、その上面に前方（Ｘ１）に向かう第１傾斜面（４１）が形成されるように、各パネル（１０）（２０）が組み合わされている。第２パネル群（５２）は、その上面に左方向（Ｙ２）に向かう傾斜面（４２）が形成されるように各パネル（１０）（２０）が組み合わされている。そして第１パネル群（５１）上に第２パネル群（５２）が積層されるように躯体上壁上に施工される。これにより右前１／４領域に配置される４枚の第２勾配付きパネル（２０）の上面によって、左後側の隅部（躯体上壁の中心位置）が最も高く、右前側の隅部（ドレン設置位置）が最も低くなるような水勾配を有する下地面（４０）が形成される。
【０１０６】
また躯体上壁における右後１／４領域は、上記右前１／４領域のパネル構造に対し、躯体上壁中心を通る横方向（Ｙ）の線分に対し線対称構造である。すなわちこの領域では、躯体上壁の中心位置が最も高く、右後側の隅部（ドレン設置位置）が最も低くなるように、上記と同様にパネル（１０）（２０）（３０）が組み合わされて施工される。
【０１０７】
また躯体上壁における左前１／４領域は、上記右前１／４領域のパネル構造に対し、躯体上壁中心を通る縦方向（Ｘ）の線分に対し線対称構造である。すなわちこの領域では、躯体上壁の中心位置が最も高く、左前側の隅部（ドレン設置位置）が最も低くなるように、上記と同様にパネル（１０）（２０）（３０）が組み合わされて施工される。
【０１０８】
更に躯体上壁における左後１／４領域は、上記右前１／４領域のパネル構造に対し、躯体上壁中心を対称点とする点対称構造である。すなわちこの領域では、躯体上壁の中心位置が最も高く、左後側の隅部（ドレン設置位置）が最も低くなるように、上記と同様にパネル（１０）（２０）（３０）が組み合わされて施工される。
【０１０９】
こうして形成された勾配付き下地面（４０）は、図１５及び図１８に示すように各１／４領域の境界部に山部（４５）が形成されて、各区画領域ごとに、対応するドレン（５）にそれぞれ向かう水勾配が形成されて、良好な排水性を得ることができる。
【０１１０】
なお上記実施形態及び実施例（実施例等）においては、この発明の勾配付き下地構造を陸屋根等の水平面に適用する場合を例に挙げて説明したが、それだけに限られず、本発明は、勾配を有する屋根等の傾斜面にも上記と同様に適用することができる。
【０１１１】
また上記実施例等においては、第１及び第２勾配付きパネル（１０）（２０）が、構成上異なるものとして説明しているが、パネル（１０）（２０）の平面形状が正方向の場合には、パネルの向きを垂直軸回りに９０°回転させることにより、互いに同一の構成になるため、この場合には、パネル（１０）（２０）として同一の構成のものを採用することができる。
【０１１２】
また本発明においては、各パネル（１０）（２０）（３０）の積層枚数は特に限定されるものではなく、例えば第１勾配付きパネル（１０）や第２勾配付きパネル（２０）を２枚以上積層するようにしても良く、この場合、水勾配を大きく形成することができる。
【０１１３】
＜第４実施例＞
図１９及び図２０はこの発明の第４実施例である断熱防水構造を示す図である。両図に示すように前方向（Ｘ１）に向かって傾斜する傾斜勾配が設けられた躯体上面（１）上に、勾配付きパネル（２０）を敷設するものである。
【０１１４】
本実施例で使用される勾配付きパネル（２０）平坦パネル（３０）は、上記第２勾配付きパネル及び平坦パネルと同様の構成を有するものである。
【０１１５】
そして複数の勾配付きパネル（２０）と複数の平坦パネル（３０）からなるパネル群（５２）を躯体上面（１）に施工するものである。
【０１１６】
すなわち勾配付きパネル（２０）をその勾配方向の下側を右方向（Ｙ１）に揃えて縦横４列ずつの配置で敷設する。更に横方向（Ｙ）の最も右側に配置される横１列目の第２勾配付きパネル（２０）は、躯体上面（１）上にそのまま設置し、横２列目のパネル（２０）の裏面側には１枚ずつ、３列目のパネル（２０）の裏面側には２枚ずつ、４列目のパネル（２０）の裏面側には３枚ずつ、それぞれ平坦パネル（３０）を積層する。こうして形成されたパネル群（５２）は、その上面に右方向（Ｙ１）に向かって傾斜する傾斜面（４２）が形成される。
【０１１７】
このパネル群（５２）が、躯体上面（１）上に積層されることによって、パネル群（５２）の傾斜面（４２）が、躯体上壁の一隅部に向かう水勾配、つまりドレン（５）の設置位置に向かう水勾配が設けられた勾配付き下地面（４０）として形成される。
【０１１８】
その他の構成は、上記実施例等と同様であるため、同一又は相当部分に同一符号を付して、重複説明は省略する。
【０１１９】
この第４実施例においても、上記と同様に同様の作用効果を得ることができる。
【０１２０】
＜第４実施例に対応する変形例＞
上記図１９に示すように、前方向（Ｘ１）に向かって傾斜する傾斜勾配が設けられた躯体上面（１）に、図１２ないし図１４に示す第２実施例に示す第２勾配付きパネル（２０）からなる第２パネル群（５２）を重ね合わせるように施工することにより、山部（４５）及び谷部（４６）を有する第２実施例と同様な勾配付き下地面（４０）を形成することができる。
【０１２１】
このとき、第４実施例の躯体上面（１）が、第２実施例の第１勾配付きパネル（１０）及び平坦パネル（３０）からなる第１パネル群（５１）の第１傾斜面（４１）に対応し、第４実施例の勾配付きパネルからなるパネル群が、第２実施例の第２勾配付きパネル（２０）からなる第２パネル群（５２）に対応するものである。
【０１２２】
この変形例においても、上記と同様に同様の作用効果を得ることができる。
【図面の簡単な説明】
【０１２３】
【図１】この発明の実施形態である水勾配付き下地構造に適用された第１及び第２勾配付きパネルを示す斜視図である。
【図２】実施形態の第１及び第２勾配付きパネルを積層した状態で示す斜視図である。
【図３】実施形態に適用された平坦パネルを示す斜視図である。
【図４】実施形態の水勾配付き下地構造の基本例を示す斜視図である。
【図５】実施形態の水勾配付き下地構造の基本例を分解して示す斜視図である。
【図６】実施形態の水勾配付き下地構造の基本例を示す平面図である。
【図７】この発明の第１実施例である水勾配付き下地構造を示す斜視図である。
【図８】第１実施例の水勾配付き下地構造を第１及び第２パネル群に分解して示す斜視図である。
【図９】第１実施例の第１パネル群を更に分解して示す斜視図である。
【図１０】第１実施例の第２パネル群を更に分解して示す斜視図である。
【図１１】第１実施例の水勾配付き下地構造を示す平面図である。
【図１２】この発明の第２実施例の水勾配付き下地構造を示す斜視図である。
【図１３】第２実施例の水勾配付き下地構造を分解して示す斜視図である。
【図１４】第２実施例の水勾配付き下地構造を示す平面図である。
【図１５】この発明の第３実施例である水勾配付き下地構造を示す斜視図である。
【図１６】第３実施例の水勾配付き下地構造の右前１／４領域を示す斜視図である。
【図１７】第３実施例の右前１／４領域を分解して示す斜視図である。
【図１８】第３実施例の水勾配付き下地構造を示す平面図である。
【図１９】第４実施例の水勾配付き下地構造を分解して示す斜視図である。
【図２０】第４実施例の水勾配付き下地構造を示す平面図である。
【図２１】従来の水勾配下地構造を示す斜視図である。
【符号の説明】
【０１２４】
１…躯体上面
１０…第１勾配付きパネル
２０…第２勾配付きパネル
３０…平坦パネル
４０…下地面
４１…第１傾斜面
４２…第２傾斜面
４５…山部
４６…谷部
５１…第１パネル群
５２…第２パネル群
【図１】
2006144507.tif 000003
【図２】
2006144507.tif 000004
【図３】
2006144507.tif 000005
【図４】
2006144507.tif 000006
【図５】
2006144507.tif 000007
【図６】
2006144507.tif 000008
【図７】
2006144507.tif 000009
【図８】
2006144507.tif 000010
【図９】
2006144507.tif 000011
【図１０】
2006144507.tif 000012
【図１１】
2006144507.tif 000013
【図１２】
2006144507.tif 000014
【図１３】
2006144507.tif 000015
【図１４】
2006144507.tif 000016
【図１５】
2006144507.tif 000017
【図１６】
2006144507.tif 000018
【図１７】
2006144507.tif 000019
【図１８】
2006144507.tif 000020
【図１９】
2006144507.tif 000021
【図２０】
2006144507.tif 000022
【図２１】
2006144507.tif 000023